(57)【特許請求の範囲】
【請求項１】
画像を受信したときの転送先を登録する手段と、登録した転送先の画像の受信能力を記憶する手段と、前記転送先の画像の受信能力に応じた受信能力を受信開始時に宣言する手段と、受信する画像パラメータを画像の受信に先立ち記憶する手段と、前記画像を受信したときに前記登録した転送先に前記受信した画像を転送する手段と、を備え、受信開始時に前記宣言をして、受信時に記憶した前記画像パラメータを使い前記登録転送先に前記画像を転送することを特徴とするファクシミリ装置において、
前記画像を転送するときに前記転送先の受信能力を取得する手段と、
前記受信能力を取得する手段により取得された前記転送先の画像の受信能力と、前記受信能力を記憶する手段に記憶された前記転送先の画像の受信能力とを比較する能力比較手段と、をさらに備え、
前記能力比較手段により、前記転送先の画像の受信能力が前記受信能力を記憶する手段に記憶された前記転送先の画像の受信能力以上であると判断された場合には、前記画像を前記転送先に転送し、前記記憶手段に記憶した転送先の受信能力を、前記転送先の画像の受信能力を取得する手段で取得した受信能力と置き換えることを特徴とするファクシミリ装置。
【請求項２】
前記能力比較手段により、前記転送先の画像の受信能力が前記受信能力を記憶する手段に記憶された前記転送先の画像の受信能力以上でないと判断された場合に、前記転送先への画像転送が可能か否かを判断する手段をさらに備え、
前記画像転送が可能か否かを判断する手段により画像転送が可能であると判断された場合には、前記画像を前記転送先に転送し、前記記憶手段に記憶した転送先の受信能力を、前記転送先の画像の受信能力を取得する手段で取得した受信能力と置き換え、
画像転送が可能でないと判断された場合には、所定の時間が経過したのちに前記転送先への発呼を行うことを特徴とする請求項１に記載のファクシミリ装置。
【発明の詳細な説明】
【０００１】
【発明の属する技術分野】
本発明は、自機にない他機の機能を使用しコスト増加を抑え、カラー画像や単色多値画像などの受信を行うことができるファクシミリ装置に関する。
【０００２】
【従来の技術】
従来のファクシミリ装置には、カラー画像を受信し、カラー印刷するものがある。しかしながら、カラー画像のファクシミリ装置は極めて高価である。
【０００３】
また、カラー画像は、符号化されＪＰＥＧやＪＢＩＧによって送られてくるが、ＪＰＥＧやＪＢＩＧは、カラー画像のほか、単色多値画像も通信できる。このため受信能力宣言においてカラー画像受信可能宣言を行うと送信側から単色多値画像が送られてくることもあり、この単色多値画像を復号化する目的でハードウェアやソフトウェアを追加装備すると、コストがさらに増加してしまうという問題がある。
【０００４】
【発明を解決しようとする課題】
本発明は、上記に鑑みてなされたものであって、自機にない他機の機能を使用しコスト増加を抑え、カラー画像や単色多値画像などの受信を行うことができるファクシミリ装置を提供することを目的とする。さらには、コスト増加を抑え画像受信を行うようにしたとき、操作性の向上も図ることを目的とする。
【０００５】
【課題を解決するための手段】
請求項１に記載のファクシミリ装置は、画像を受信したときの転送先を登録する手段と、登録した転送先の画像の受信能力を記憶する手段と、前記転送先の画像の受信能力に応じた受信能力を受信開始時に宣言する手段と、受信する画像パラメータを画像の受信に先立ち記憶する手段と、前記画像を受信したときに前記登録した転送先に前記受信した画像を転送する手段と、を備え、受信開始時に前記宣言をして、受信時に記憶した前記画像パラメータを使い前記登録転送先に前記画像を転送することを特徴とするファクシミリ装置において、前記画像を転送するときに前記転送先の受信能力を取得する手段と、前記受信能力を取得する手段により取得された前記転送先の画像の受信能力と、前記受信能力を記憶する手段に記憶された前記転送先の画像の受信能力とを比較する能力比較手段と、をさらに備え、前記能力比較手段により、前記転送先の画像の受信能力が前記受信能力を記憶する手段に記憶された前記転送先の画像の受信能力以上であると判断された場合には、前記画像を前記転送先に転送し、前記記憶手段に記憶した転送先の受信能力を、前記転送先の画像の受信能力を取得する手段で取得した受信能力と置き換えることとした。
【０００６】
請求項２に記載のファクシミリ装置は、請求項１において、前記能力比較手段により、前記転送先の画像の受信能力が前記受信能力を記憶する手段に記憶された前記転送先の画像の受信能力以上でないと判断された場合に、前記転送先への画像転送が可能か否かを判断する手段をさらに備え、前記画像転送が可能か否かを判断する手段により画像転送が可能であると判断された場合には、前記画像を前記転送先に転送し、前記記憶手段に記憶した転送先の受信能力を、前記転送先の画像の受信能力を取得する手段で取得した受信能力と置き換え、画像転送が可能でないと判断された場合には、所定の時間が経過したのちに前記転送先への発呼を行うこととした。
【００２６】
【発明の実施の形態】
以下、本発明の実施の形態について説明する。
【００２７】
図１は、本発明に関わるファクシミリ装置の概要を説明するためのブロック図を示す。
【００２８】
図１により、本発明に関わるファクシミリ装置の概要を述べる。
【００２９】
例えば、カラー印字できるカラーファクシミリ（ＦＡＸ）装置１１を１台備え、その他は白黒ファクシミリ（ＦＡＸ）装置１２、１３を備える。この場合、受信する回線によってカラー受信の可否が決まってしまうため、使い勝手は悪くなってしまうが、本発明では白黒ファクシミリ装置１２、１３において、カラーファクシミリ装置１１への転送を行うことで、カラーファクシミリ（ＦＡＸ）装置１４よりのカラー受信を可能とする。
【００３０】
図２は、本発明に関する第１実施例から第４実施例のファクシミリ装置のシステム構成を示す。
【００３１】
このファクシミリ装置は、原稿を読みこむスキャナ（２０１）と、自機受信能力である白黒画像を受信した場合に画像を印字するためのプロッタ（２０２）と、画像情報を圧縮伸張する符号化復号化部（２０３）と、カラーファクシミリの受信能力を宣言し、かつ所定のプロトコル制御を行う通信制御部（２０４）と、通信データを変復調するモデム（２０５）と、回線に接続され発呼や着呼を行う網制御部（２０６）と、所定のファクシミリ制御を行うためのシステム制御部（２０７）と、転送先の登録や転送先の受信能力登録および、カラー受信機能を有効／無効にする操作を行い、かつ所定の表示／操作を行うことのできる操作表示部（２０８）と、転送先や転送先の受信能力を記憶するメモリ（２０９）と、カラー画像を受信するときに送信側から送られてくる様々なカラー画像再現のための画像パラメータを記憶する画像パラメータメモリ（２１０）とから構成されている。図８には、カラー関連の画像パラメータの例を示す。
【００３２】
図３は、第１実施例のファクシミリ装置への入力操作例を示す。
【００３３】
この入力操作例は、転送先登録が開始すると（３０１）、オペレータが転送先の宛先入力（３０２）と、受信能力入力（３０３）と、さらに、カラー受信機能有効を設定入力（３０４）の操作を行うものである。
【００３４】
図４は、第１実施例の処理フロー例を示す。
【００３５】
カラー転送先と受信能力が登録済で、かつ機能が有効に設定されていた場合（４０１）、自機の受信能力に転送先の受信能力を合わせて受信能力宣言し通信開始する（４０２）。次に、受信開始に先立ち送られてくる画像パラメータを記憶する（４０４）。
【００３６】
カラー転送先に受信能力の登録がないか、または、機能が無効に設定されていた場合（４０１）、自機の受信能力のみ宣言して通信開始する（４０３）。
【００３７】
画像情報を受信し（４０５）、受信終了したら（４０６）、カラーや単色多値画像を受信したか判断し（４０７）、カラーや単色多値画像を受信した場合には（４０４）で記憶した画像パラメータを使って転送先に画像を転送する（４０８）。カラーや単色多値画像でない場合には、自機で印字して終了する。
【００３８】
以上、第１実施例のファクシミリ装置は、カラーや単色多値画像の印字能力が無くても、カラーや単色多値画像の印字能力がある装置に対して受信した画像情報を転送できるので、コスト増加を抑えカラー受信を行うことができる。カラートナーも１台分だけ用意しておけば良いことになり、装置コストだけでなく運用コスト削減にもなり操作性も向上する。
【００３９】
図５は、第２実施例のファクシミリ装置の処理フロー例を示す。
【００４０】
第１実施例のファクシミリ装置との違いは、転送先と転送先の受信能力が入力されたとき（５０４）、カラー受信機能を自動的に有効に（５０５）することである。
【００４１】
第１実施例のファクシミリ装置は、オペレータが転送先の宛先入力と、カラー受信機能を有効にするための操作を行っているが、第２実施例のファクシミリ装置は、この操作を自動化している。
【００４２】
そのため、転送先を登録しても機能が無効になっているようなこともなくなり、操作性の向上を図ることができる。
【００４３】
なお、カラー画像の転送だけに限定していない場合には、例えば、自機にはない高機能を有するファクシミリ装置への転送も登録可能な場合、入力された受信能力を確認したうえで、カラー受信可能な能力であればカラー受信機能を自動的に有効とする。
【００４４】
図６は、第３実施例のファクシミリ装置の処理フロー例を示す。
【００４５】
第１実施例のファクシミリ装置との違いは、カラー受信機能を自動的に有効にしたあと（６０５）、転送先に自動的に発呼して受信能力のみ取得して記憶する機能が備わっている（６０６）ことである。
【００４６】
第３実施例のファクシミリ装置は、第１実施例のファクシミリ装置に対し、転送宛先のカラーや単色多値画像受信能力の登録を自動的にすることができる。
【００４７】
従って、カラーや単色多値画像の転送先を登録するとき、転送先の能力設定に専門知識が必要となるが、第３実施例のファクシミリ装置は、自動化されているので専門知識は不要となり、操作性の向上を図ることができる。
【００４８】
図７は、第４実施例のファクシミリ装置の処理フロー例を示す。
【００４９】
第１実施例のファクシミリ装置との違いは、受信開始後に画像パラメータを記憶したのち（７０４）、複数の転送先が登録されていたら転送先を検索（７０５）し、（７０４）で記憶されている画像パラメータを使って転送を行う（７０９）ことである。このとき、受信はＧ３で行われ、転送先がＧ４のときには、プロトコル変換を行う。なお、受信と送信が異なる通信方式を利用する場合でも転送を行うことができる。
【００５０】
第４実施例のファクシミリ装置は、受信した回線とは異なる回線で転送を行う場合、受信時の画像パラメータを転送先に応じた形式に変換して転送を行うことで、信頼性を向上させることができる。
【００５１】
図９は、本発明に関する第５実施例から第１３実施例のファクシミリ装置のシステム構成を示す。
【００５２】
このファクシミリ装置は、原稿を読みこむスキャナ（２０１）と、自機受信能力である白黒画像を受信した場合に画像を印字するためのプロッタ（２０２）と、画像情報を圧縮伸張する符号化復号化部（２０３）と、カラーファクシミリの受信能力を宣言し、同時に複数の通信制御を行い、かつ所定のプロトコル制御を行う通信制御部（２０４）と、通信データを変復調するモデム１（２０５）と、回線に接続され発呼や着呼を行う網制御部１（２０６）と、所定のファクシミリ制御を行うためのシステム制御部（２０７）と、転送先の登録や転送先の受信能力登録および、カラー受信機能を有効／無効にする操作を行い、かつ所定の表示／操作を行うことのできる操作表示部（２０８）と、転送先や転送先の受信能力を記憶するメモリ（２０９）と、カラー画像を受信するときに送信側から送られてくる様々なカラー画像再現のための画像パラメータを記憶する画像パラメータメモリ（２１０）と画像メモリ（２１１）と、受信しながら転送するためのモデム２（２１２）と網制御部１（２１３）とから構成されている。
【００５３】
図１０は、カラー関連の画像パラメータの例と宛先を示す。
【００５４】
図１１は、第５実施例のファクシミリ装置への入力操作例を示す。
【００５５】
この入力操作例は、転送先登録が開始すると（４０１）、オペレータが転送先宛先入力（４０２）と、受信能力入力（４０３）と、さらに、カラー受信機能有効を設定入力（４０４）する操作を行うものである。
【００５６】
図１２は、第５実施例の処理フロー例を示す。
【００５７】
カラー転送先と受信能力が登録済で、かつ機能が有効に設定されていた場合（５０１）、自機の受信能力に転送先の受信能力を合わせて受信能力宣言し通信開始する（５０２）。次に、受信開始に先立ち送られてくる画像パラメータを記憶する（５０４）。
【００５８】
カラー転送先に受信能力の登録がないか、または、機能が無効に設定されていた場合（５０１）、自機の受信能力のみ宣言して通信開始する（５０３）。
【００５９】
画像情報を受信開始したとき（５０５）、カラーや単色多値画像を受信したか判断（５０６）し、カラーや単色多値画像を受信した場合には、（５０４）で記憶した画像パラメータを使って転送先に画像を転送する（５０７）。カラーや単色多値画像でない場合には、自機で印字して終了（５０８）する。
【００６０】
カラー画像は情報量が非常に多いことが普通であり、受信データを一旦蓄積して転送する場合には、転送完了するまで多くのメモリが占有されてしまい、メモリを使うような他の機能（例えばメモリ送信機能、ソート機能、親展受信機能など）が動作できない場合もあり、また、このためにメモリを増設した場合にはコストアップに繋がる場合もあるが、第５実施例のファクシミリ装置は、画像の受信を開始したら通信中に転送先への発呼を行い送信を開始するため、メモリの占有時間を最小限に抑えることができ、転送することを条件にカラー受信する場合にメモリ容量を少なくすることができる。
【００６１】
図１３は、第６実施例のファクシミリ装置の処理フロー例を示す。
【００６２】
第１実施例〜第４実施例においては、転送先の受信能力を手入力または自動で記憶しているため、カラー受信能力のないファクシミリにおいても送信機に対してカラー受信能力を宣言している。
【００６３】
これに対し第６実施例のファクシミリ装置は、転送先の特定の記録紙が無くなったり、カラートナーが無くなった場合にいったん登録した受信能力を更新することで適切なカラー受信能力宣言を行い、信頼性を向上させることができる。
【００６４】
第６実施例のファクシミリ装置は、７０５で決定した宛名に対し７０４で記憶したパラメータを使って転送先へ転送７０９までは図７と同様に動作し、転送先の受信能力は記憶している能力以上７１０のときには転送実行７１２を行い、記憶している受信能力を更新７１３する。転送先の受信能力は記憶している能力以上７１０でなく画像転送可能７１４のときは、転送実行７１２を行い、画像転送可能７１４でないときは、転送可能になるまで数分毎に発呼しながら待つ７１４こととする。
【００６５】
従って、次回受信から正しいカラー受信能力を宣言することができ、信頼性を向上することができる。
【００６６】
図１４は、第７実施例のファクシミリ装置の処理フロー例を示す。
【００６７】
第１実施例〜第４実施例においては、転送先の受信能力を手入力または自動で記憶しているため、カラー受信能力のないファクシミリにおいても送信機に対してカラー受信能力を宣言している。
【００６８】
これに対し第７実施例のファクシミリ装置は、一定時間毎に転送先に発呼し転送先の特定の記録紙が無くなったり、カラートナーが無くなったことを検知しいったん登録した受信能力を更新することで、適切なカラー受信能力宣言を行い信頼性向上させることができる。
【００６９】
第３実施例の図６のファクシミリ装置との違いは、転送先に自動的に発呼して受信能力のみ取得して記憶する６０６を一定時間毎に実行６０７することである。
【００７０】
従って、次回受信から正しいカラー受信能力を宣言することができ、信頼性を向上することができる。
【００７１】
図１５は、第８実施例に関連するカラーや単色多値画像受信の検出タイミングを示す。
【００７２】
カラーや単色多値画像が送られてくることは、ＤＣＳ信号を解析することで可能である。このため、最初に判断できるのは、このタイミングである。
【００７３】
図１６は、第８実施例のファクシミリ装置の処理フロー例を示す。
【００７４】
第８実施例のファクシミリ装置は、受信開始した後、ＤＣＳ信号を解析してカラーや単色多値が送られてくることが分かると（７０１）、すぐに転送先に発呼を行う（７０２）。その後画像受信しながら転送を行い（７０３）、受信と転送をしたら（７０４）終了となる。白黒画像の受信（７０５）では、受信終了したとき（７０６）印字を行う。
【００７５】
第５実施例のファクシミリ装置では、受信中に転送先への発呼および送信を開始し、メモリ使用量の削減を行うが、第８実施例のファクシミリ装置は、カラーや単色多値画像を受信するときにのみ転送先への発呼を行っているので、無駄な発呼がなくなりシステム全体としての効率が向上できる。
【００７６】
図１７は、第９実施例のファクシミリ装置の処理フロー例を示す。
【００７７】
第９実施例のファクシミリ装置は、第８実施例のファクシミリ装置と同様に転送先へ発呼を行ったとき（８０２）、転送先がビジーであった場合（８０３）、そのまま受信してもメモリオーバになる可能性もあるため、カラーや単色多値画像の受信を中断（８０４）して終了する。
【００７８】
第５実施例のファクシミリ装置は、受信中に転送先への発呼および送信を開始しているのでメモリ使用量の削減が行えるが、第９実施例のファクシミリ装置は、受信中に転送先がビジー状態（お話し中など）などで応答しないときには、カラーや単色多値画像を受信しない（またはエラー応答する）ことで通信を終了させ、メモリが無くなるまで受信継続することによる送信側の通信費用の無駄を無くすことができる。
【００７９】
図１８に、カラー関連パラメータ例と宛先表（メモリ内部構造）を示す。
【００８０】
このカラー関連パラメータ例と宛先表により、転送宛先が複数登録でき、各項目の受信能力を容易に登録することができる。
【００８１】
図１９は、第１０実施例のファクシミリ装置の処理フロー例を示す。
【００８２】
第１０実施例のファクシミリ装置は、第７実施例のファクシミリ装置と同様に、転送先１へ発呼を行うが（１００２）、転送先１がビジーのき（１００３）、受信中断せずに転送先２への発呼（１００４）を行う。転送先２もビジー（１００５）であれば通信中断する（１０１０）。
【００８３】
第９実施例のファクシミリ装置では、転送先がビジーであるならばＦＡＸ受信を中断することで無駄な受信を行わずに効率を向上させているが、第１０実施例のファクシミリ装置は、転送先がビジーで応答できないときには、他の転送先へ転送できるので、通信中断をできるだけ少なくし、送信側の余計の手間が削減できる。
【００８４】
図２０は、第１１実施例のファクシミリ装置の処理フロー例を示す。
【００８５】
第１１実施例のファクシミリ装置は、第９、１０実施例のファクシミリ装置と同様に、転送先への発呼を行うが（１１０２）、転送先がビジーだったとき（１１０３）、受信中断せずに再発呼回数をチェックする（１１０４）。（１１０４）に別途に設定されている上限回数に達していない場合は、所定の時間経過後に再発呼を行う（１１０２）。再発呼回数を満たしたら、受信を中断する（１１０９）。
【００８６】
第９、１０実施例のファクシミリ装置では、転送先がビジーなどで応答できないとき、受信を中断したり他の転送先への発呼を行っているが、第１１実施例のファクシミリ装置は、ビジーだった転送先に対して再発呼を試みることで、通常通りの転送先への転送が行われ易くし、受信原稿がどの端末に印字されているか探す手間を省くことができる。
【００８７】
図２１は、第１２実施例のファクシミリ装置の処理フロー例を示す。
【００８８】
第１１実施例のファクシミリ装置と同様に、転送先への再発呼を行うときに（１２０４）、第１２実施例のファクシミリ装置は、予め定めた比較的短い発呼間隔を用いることで、受信データが増大する前に転送先への接続を行うものである。
【００８９】
第１１実施例のファクシミリ装置は、転送先がビジーなどでも再発呼して転送を試みているが、第１２実施例のファクシミリ装置は、転送先がビジーのときに再発呼間隔を短くしているので送信成功できる確率を上げることができる。
【００９０】
図２２は、第１３実施例のファクシミリ装置の処理フロー例を示す。
【００９１】
第５実施例のファクシミリ装置と同様に転送を開始（１３０２）したあと、第１３実施例のファクシミリ装置は、ページ単位に転送を行い（１３０３）、１ページの転送が終了したとき（１３０４）、転送終了（１３０５）し、次ページがあるかどうかを確認し（１３０６）、カラーや単色多値であったら（１３０１）再度転送を行う（１３０２）ものである。
【００９２】
第５実施例のファクシミリ装置は、受信中に転送先への転送を行うことで内部メモリの消費量を最小限に抑えるようにしているので、システム効率やオペレータの業務効率が向上できるが、第１３実施例のファクシミリ装置は、ページ単位で回線の接続解放を繰り返しているので、受信エラーが多くて通信時間が長いような画像を受信しているときに回線費用がかかることを防ぐことができる。
【００９３】
図２３は、第１４実施例のファクシミリ装置の処理フロー例を示す。
【００９４】
第５実施例のファクシミリ装置のように転送を行う場合、第１４実施例のファクシミリ装置は、転送に使用できる通信種別が選択できる場合は、受信した通信種別と同じ種別を選択して転送を行う（１４０２）ものである。
【００９５】
第５実施例のファクシミリ装置は、受信中に転送先への発呼および送信を開始しているので、メモリ使用量の削減が行えるが、第１４実施例のファクシミリ装置は、受信原稿の転送には転送種別を同じくしているため、画像処理を不要にすることが可能になり、また、この場合画質劣化も最小限にすることができるため、操作性およびシステム効率を向上することができる。
【００９６】
図２４は、第１５実施例のファクシミリ装置の処理フロー例を示す。
【００９７】
第５実施例のファクシミリ装置のように転送を行う場合、第１５実施例のファクシミリ装置は、転送を行う通信種別に必ずメール送信を選択する（１５０２）ものである。
【００９８】
第５実施例のファクシミリ装置は、受信中に転送先への発呼および送信を開始しているので、メモリ使用量の削減が行えるが、第１５実施例のファクシミリ装置は、受信原稿の転送にはメール転送を行っているので、受信側の能力にとらわれず、常に決まった転送先に印字することができ、操作性を損なうことはない。
【００９９】
図２５は、第１６実施例のファクシミリ装置の処理フロー例を示す。
【０１００】
第４実施例においては、カラー画像受信終了前に転送先へ発呼している。転送先が受信可能であればそのまま受信を継続するが、転送先がビジーの場合はメモリ残量が少なくなり確実な受信ができないことが考えられるため、受信を中断している。
【０１０１】
これに対し第７実施例は、ビジーのみでなく、さらに転送先受信不可の場合にも受信を中断し、信頼性を向上することができる。
【０１０２】
第９実施例の図１７のファクシミリ装置との違いは、転送先ビジー８０２に代わって転送先受信不可８０５を設けたことである。
【０１０３】
従って、送信側にエラー応答することになり、送信したはずなのに届いていないなどの間違いが起こらず、信頼性を向上することができる。
【０１０４】
図２６は、第１７実施例のファクシミリ装置の処理フロー例を示す。
【０１０５】
第９実施例においては、カラー画像受信終了前に転送先へ発呼している。
【０１０６】
これに対し第１７実施例のファクシミリ装置は、転送先が受信可能であればそのまま受信を継続するが、転送先の受信能力の変化（特定の記録紙が無くなった、カラートナーが無くなったなど）により、現在受信中の画像を転送できないことが判明した場合には、受信を中断することで信頼性を向上することができる。
【０１０７】
第９実施例の図１７のファクシミリ装置との違いは、転送先ビジー８０２に代わって転送先受信能力不足８０６を設けたことである。
【０１０８】
図２７は、第１７実施例に関連するカラー関連パラメータ例と宛先表（メモリ内部構造）を示す。
【０１０９】
従って、送信側にエラー応答することになり、送信したはずなのに届いていないなどの間違いが起こらず、信頼性を向上することができる。
【０１１０】
図２８は、第１８実施例のファクシミリ装置の処理フロー例を示す。
【０１１１】
第１５実施例においては、受信した画像をメールで転送している。
【０１１２】
これに対し第１８実施例のファクシミリ装置は、カラー画像をメールで送信することで受信文書の電子化が実現できるが、メール画像の分類を行いやすくするため、メールのサブジェクト部分にカラーファクシミリ受信画像であることを付与することで分類性能を向上し、操作性を向上することができる。
【０１１３】
第１５実施例の図２４のファクシミリ装置との違いは、メール転送開始１５０２を行うとき、メールデータのサブジェクトへ特定語（情報）の追加を行う１５０３ことである。
【０１１４】
従って、転送された画像をメール画面で検索するとき、特定の言葉が入っていることによって検索効率を向上し、操作性を向上することができる。
【０１１５】
図２９は、第１９実施例のファクシミリ装置の処理フロー例を示す。
【０１１６】
第１４実施例においては、受信した通信種別と同じ種別で転送を行うようにしている。こうすることで画像パラメータを共通に利用できるので、画像劣化をなくしている。
【０１１７】
これに対し第１９実施例のファクシミリ装置は、受信したカラー画像を転送するとき特定のＩＤコードを付与して転送することで、転送先の特定の排紙トレイへの出力を可能にし、操作性を向上することができる。
【０１１８】
第４実施例の図７のファクシミリ装置との違いは、カラー画像／単色多値画像受信したとき、任意に決めたＳＵＢコードを付与して送信７０８を行うことである。ＳＵＢコードは２０桁以下の数字、空白、＊、＃でＩＴＵ−Ｔ勧告で定められている。
従って、カラーファクシミリからの転送であることを容易に識別でき、操作性を向上することができる。
【０１１９】
なお、本願の各実施例においては画像の受信能力について述べたが、画像以外に関する他機の能力を宣言することで、他機の特別な機能を使用することもできる。他機の特別な機能としては、Ａ３の記録・中継・親展受信など高価格機にあって低価格機にはあまりないものが対象となる。
【０１２０】
また、第６実施例から第１９実施例のファクシミリ装置は、第１実施例のファクシミリ装置に適用することもできる。
【０１２１】
また、上記実施例では説明の都合上カラー画像についで述べている部分もあるが、これに限定することなく各種画像を送られてきた情報の内容により転送先を判断し転送することができる。
【０１２２】
【発明の効果】
本発明のファクシミリ装置は、画像を受信したときの転送先を登録する手段と、登録した転送先の画像の受信能力を記憶する手段と、前記転送先の画像の受信能力に応じた受信能力を受信開始時に宣言する手段と、受信する画像パラメータを画像の受信に先立ち記憶する手段と、前記画像を受信したときに前記登録した転送先に前記受信した画像を転送する手段と、を備え、受信開始時に前記宣言をして、受信時に記憶した前記画像パラメータを使い前記登録転送先に前記画像を転送することとしたため、カラーや単色多値画像の印字能力が無くても装置に対して受信した画像を転送できるのでコスト増加を抑え画像受信を行うことができる。
【０１２３】
カラートナーも１台分だけ用意しておけば良いことになり、装置コストだけでなく運用コスト削減にもなり操作性も向上する。
【０１２４】
本発明のファクシミリ装置は、前記画像を受信したときの転送先と前記転送先の受信能力とを登録するとき、自動的にカラー受信機能が有効になる手段を備えた構成としたため、転送先を登録しても機能が無効になっているようなこともなくなり、操作性の向上を図ることができる。
【０１２５】
本発明のファクシミリ装置は、前記画像を受信したときの転送先を登録するとき、前記転送先に自動的にアクセスして受信能力を取得する手段を備えた構成としたため、カラーや単色多値画像の転送先を登録するとき、転送先の能力設定に専門知識が必要となるが、自動化されているので専門知識は不要となり、操作性の向上を図ることができる。
【０１２６】
本発明のファクシミリ装置は、前記ファクシミリ装置が複数回線に接続されているとき、前記転送先の回線の種類を設定する手段と、前記画像パラメータを通信方式に応じて変換する手段と、を備えた構成としたため、受信した回線とは異なる回線で転送を行う場合、受信時の画像パラメータを転送先に応じた形式に変換して転送を行うことで、信頼性を向上させることができる。
【０１２７】
本発明のファクシミリ装置は、画像受信の通信が終了する前に転送先への通信を開始する手段と、をさらに備え、受信開始時に前記宣言をして、受信時に記憶した前記画像パラメータを使い画像受信の通信が終了する前に転送先への通信を開始し前記登録転送先に前記受信した画像を転送することとしたため、コスト増加を抑えカラー受信を行うことができ、さらに、メモリの占有時間を最小限に抑えることができ、転送することを条件にカラー受信する場合にメモリ容量を少なくすることができる。
【０１２８】
本発明のファクシミリ装置は、受信した画像を転送するとき前記転送先の受信能力を取得する手段と、前記記憶手段に記憶した転送先の受信能力を前記取得手段で取得した受信能力と置き換える手段と、を合わせ持つこととしたため、次回受信から正しいカラー受信能力を宣言することができ、信頼性を向上することができる。
【０１２９】
本発明のファクシミリ装置は、一定時間毎に前記転送先へ発呼し前記転送先の受信能力を取得する手段と、前記記憶手段に記憶する転送先の受信能力を前記取得手段により取得した受信能力と置き換える手段と、を合わせ持つこととしたため、次回受信から正しいカラー受信能力を宣言することができ、信頼性を向上することができる。
【０１３０】
本発明のファクシミリ装置は、前記画像が送られてくることを前記画像の受信前に検出する手段と、前記画像が送られてくることを検出したとき転送先への発呼を行う手段と、を備えた構成としたため、無駄な発呼がなくなりシステム全体としての効率が向上できる。
【０１３１】
本発明のファクシミリ装置は、前記画像を転送するため転送先への発呼をするとき転送先のビジーを検出する手段と、前記転送先がビジーまたは応答しないときに前記画像受信を中断する手段と、を備えた構成としたため、受信中に転送先がビジー状態などで応答しないときには、前記画像を受信しない（またはエラー応答する）ことで通信を終了させ、メモリが無くなるまで受信継続することによる送信側の通信費用の無駄を無くすことができる。
【０１３２】
本発明のファクシミリ装置は、前記画像を転送するため転送先への発呼をするとき前記転送先のビジーを検出する手段と、前記転送先がビジーのときは他の転送先に前記受信した画像を転送する手段と、を備えた構成としたため、転送先がビジーで応答できないときには、他の転送先へ転送できるので、通信中断をできるだけ少なくし、送信側の余計の手間が削減できる。
【０１３３】
本発明のファクシミリ装置は、前記画像を転送するため転送先への発呼をするとき前記転送先のビジーを検出する手段と、前記転送先がビジーのときは再発呼して前記受信した画像を転送する手段と、を備えた構成としたため、ビジーだった転送先に対して再発呼を試みることで、通常通りの転送先への転送が行われ易くし、受信原稿がどの端末に印字されているか探す手間を省くことができる。
【０１３４】
本発明のファクシミリ装置は、前記画像を転送するため転送先への発呼をするとき前記転送先のビジーを検出する手段と、前記転送先がビジーのときは再発呼して前記受信した画像を転送する手段と、カラー画像を蓄積しているときには予め定めた再発呼間隔にて再発呼する手段と、を備えた構成としたため、転送先がビジーのときに再発呼間隔を短くしているので送信成功できる確率を上げることができる。
【０１３５】
本発明のファクシミリ装置は、前記画像のページ単位で転送先への発呼を解除する手段と、前記画像の次ページの受信開始に合わせて転送先への再発呼を行う手段と、前記画像のページ単位で接続された発呼を使って前記受信した画像を転送する手段と、を備えた構成としたため、ページ単位で回線の接続解放を繰り返し、受信エラーが多くて通信時間が長いような画像を受信しているときに回線費用がかかることを防ぐことができる。
【０１３６】
本発明のファクシミリ装置は、前記受信した画像と同じ通信種別で前記受信した画像を転送する手段を備えた構成としたため、受信原稿の転送には転送種別を同じくしているため、画像処理を不要にすることが可能になり、また、この場合画質劣化も最小限にすることができるため、操作性およびシステム効率を向上することができる。
【０１３７】
本発明のファクシミリ装置は、メール形式で前記受信した画像を転送する手段を備えた構成としたため、受信側の能力にとらわれず、常に決まった転送先に印字することができ、操作性を損なうことはない。
【０１３８】
本発明のファクシミリ装置は、前記画像を転送するため前記転送先への発呼をするとき転送先受信不可を検出する手段と、前記転送先が受信不可または応答しないときに前記画像受信を中断する手段と、を合わせもつこととしたため、送信側にエラー応答することになり、送信したはずなのに届いていないなどの間違いが起こらず、信頼性を向上することができる。
【０１３９】
本発明のファクシミリ装置は、受信中に転送先に発呼し接続を行う手段と、前記接続後前記転送先の受信能力を取得する手段と、前記取得手段で取得した受信能力で現在受信中の画像を転送できるかできないかを判定する手段と、前記転送ができないと判断するときには受信を中断する手段と、を合わせもつこととしたため、送信側にエラー応答することになり、送信したはずなのに届いていないなどの間違いが起こらず、信頼性を向上することができる。
【０１４０】
本発明のファクシミリ装置は、前記転送をするときメールのサブジェクト部分に、カラーファクシミリ画像であることを示す特定情報を自動的に付与する手段と、カラーファクシミリ画像であることを示す特定情報を任意に設定可能の手段とを、合わせもつこととしたため、転送された画像をメール画面で検索するとき、特定の言葉が入っていることによって検索効率が向上し、操作性を向上することができる。
【０１４１】
本発明のファクシミリ装置は、前記受信した画像を転送するとき、予め定めた特定のＩＤコードを付与して転送する手段と、前記転送先がＩＤコードに対応した排紙トレイに印字できる手段と、を合わせもつこととしたため、カラーファクシミリからの転送であることを容易に識別でき、操作性を向上することができる。
【０１４２】
本発明のファクシミリ装置は、前記受信した画像を転送するとき、自機で印字できるか判断し、自機で出力できないもののみ転送することとしたため、自機の能力にとらわれず印字することができ、コスト増加を抑え画像受信を行うことができる。
【０１４３】
本発明のファクシミリ装置は、画像を受信したとき転送先を登録する手段と、登録した転送先の受信能力を記憶する手段と、前記記憶された転送先の受信能力を受信開始時に宣言する手段と、前記画像を受信したときに前記登録された転送先に転送する手段と、を備えることとしたため、他機の特別な機能を使用することもでき、コスト増加を抑え画像受信を行うことができる。
【図面の簡単な説明】
【図１】  本発明に関わるファクシミリ装置の概要を説明するためのブロック図を示す。
【図２】  本発明に関する第１実施例から第４実施例のファクシミリ装置のシステム構成を示す。
【図３】  第１実施例のファクシミリ装置への入力操作例を示す。
【図４】  第１実施例の処理フロー例を示す。
【図５】  第２実施例のファクシミリ装置の処理フロー例を示す。
【図６】  第３実施例のファクシミリ装置の処理フロー例を示す。
【図７】  第４実施例のファクシミリ装置の処理フロー例を示す。
【図８】  カラー関連の画像パラメータの例を示す。
【図９】  第５実施例から第１３実施例のファクシミリ装置のシステム構成を示す。
【図１０】  カラー関連の画像パラメータの例と宛先を示す。
【図１１】  第５実施例のファクシミリ装置への入力操作例を示す。
【図１２】  第５実施例の処理フロー例を示す。
【図１３】  第６実施例のファクシミリ装置の処理フロー例を示す。
【図１４】  第７実施例のファクシミリ装置の処理フロー例を示す。
【図１５】  第８実施例に関連するカラーや単色多値画像受信の検出タイミングを示す。
【図１６】  第８実施例のファクシミリ装置の処理フロー例を示す。
【図１７】  第９実施例のファクシミリ装置の処理フロー例を示す。
【図１８】  カラー関連パラメータ例と宛先表（メモリ内部構造）を示す。
【図１９】  第１０実施例のファクシミリ装置の処理フロー例を示す。
【図２０】  第１１実施例のファクシミリ装置の処理フロー例を示す。
【図２１】  第１２実施例のファクシミリ装置の処理フロー例を示す。
【図２２】  第１３実施例のファクシミリ装置の処理フロー例を示す。
【図２３】  第１４実施例のファクシミリ装置の処理フロー例を示す。
【図２４】  第１５実施例のファクシミリ装置の処理フロー例を示す。
【図２５】  第１６実施例のファクシミリ装置の処理フロー例を示す。
【図２６】  第１７実施例のファクシミリ装置の処理フロー例を示す。
【図２７】  第１７実施例に関連するカラー関連パラメータ例と宛先表（メモリ内部構造）を示す。
【図２８】  第１８実施例のファクシミリ装置の処理フロー例を示す。
【図２９】  第１９実施例のファクシミリ装置の処理フロー例を示す。
【符号の説明】
１４、１０  カラーファクシミリ（ＦＡＸ）装置
１２、１３  白黒ファクシミリ（ＦＡＸ）装置
【図１】
0004183922.tif 000002
【図２】
0004183922.tif 000003
【図３】
0004183922.tif 000004
【図４】
0004183922.tif 000005
【図５】
0004183922.tif 000006
【図６】
0004183922.tif 000007
【図７】
0004183922.tif 000008
【図８】
0004183922.tif 000009
【図９】
0004183922.tif 000010
【図１０】
0004183922.tif 000011
【図１１】
0004183922.tif 000012
【図１２】
0004183922.tif 000013
【図１３】
0004183922.tif 000014
【図１４】
0004183922.tif 000015
【図１５】
0004183922.tif 000016
【図１６】
0004183922.tif 000017
【図１７】
0004183922.tif 000018
【図１８】
0004183922.tif 000019
【図１９】
0004183922.tif 000020
【図２０】
0004183922.tif 000021
【図２１】
0004183922.tif 000022
【図２２】
0004183922.tif 000023
【図２３】
0004183922.tif 000024
【図２４】
0004183922.tif 000025
【図２５】
0004183922.tif 000026
【図２６】
0004183922.tif 000027
【図２７】
0004183922.tif 000028
【図２８】
0004183922.tif 000029
【図２９】
0004183922.tif 000030